(57)【要約】【課題】自転車サドル及び２輪車のシートを乗り心地、機能、見た目を自分の好み希望に合わせて自由自在に設定できるようにしたい、それと、何時でもその乗り心地、機能、見た目を自由自在に変更したい。自転車、２輪車に乗っていて、サドル及びシートから体の為になる効能・効果吸収できないか。【解決手段】自転車サドルカバー及び２輪車シートカバーのクッションを外から見れるように、表面素材を透明にする、そのクッションの収納は人が座る表面の裏に収納部分を作り何時でもクッションを出し入れできるように出し入れ口も作る、その収納場所に乗り心地、機能、見た目を好み希望に合せたクッションを入れる、クッションを換えるごとに自由自在に好み希望が設定できる。又、その表面の一部に穴をあけ、収納されたクッションの特性の効能・効果を吸収できるようにする。【選択図】図９
0003145403.tif 000002
【実用新案登録請求の範囲】
【請求項１】
外形は自転車サドル及び２輪車シートを包み込むカバーで、透明な素材からなり、そのサドルカバー及びシートカバーには人が座る表面の裏面部分に、デザイン、乗り心地、その他機能等を備えたクッション及び乗る人が自分で創作した好みと希望に合わせたデザイン、乗り心地、その他機能等を備えたクッション、その他色々なクッションを１枚だけ入れられる収納部分が構成されている、その収納部分の大きさと仕様は、大きさはクッションの平面寸法、高さはクッションの厚みより少し大きめの空間になる寸法、その大きさの裏地を表地に接合し、それによりクッションを入れる空間が構成されている、そのクッション収納部分にクッションを自由に１枚ごと出し入れできるように、裏地を横に切った出入口が構成されている、外形は透明な素材で構成され、クッションを収納でき何時でもクッションを自由に出し入れできる、自転車透明サドルカバー並びに２輪車透明シートカバー。
【請求項２】
請求項１における自転車透明サドルカバー及び２輪車透明シートカバーに座る表面の一部に穴を空けクッションが一部外に露出するように構成されている、それにより、素材に健康とか色々なことに効く、効能・効果等の特性を持った素材を使って作ったクッションを収納部分に入れた場合、乗る人に直接効能・効果等を生かす事ができる、自転車クッション効能・効果吸収透明サドルカバー及び２輪車クッション効能・効果吸収収納透明シートカバー。
【考案の詳細な説明】
【技術分野】
【０００１】  本考案は自転車サドルカバー並びに２輪車のシートカバーに関する。
【背景技術】
【０００２】  従来の自転車サドル及び２輪車のシートは本体を換えずに希望の乗り心地、機能、見た目を換える方法はなかった。その換える方法として、自転車サドルカバー及び２輪車シートカバーがあった、それを使えば従来の自転車サドル及び２輪車シートの乗り心地、機能、見た目を改善する事は出来た、しかし、自分の希望にそった乗り心地、機能、見た目を持ったカバーを見つけるのはなかなか困難であり、総てを満足できるものもなかなかなかった、それと共に、何時でも自由にそれらを変更する事も出来なかった。
【考案の開示】
【考案が解決しようとする課題】
【０００３】自転車サドル及び２輪車のシートを乗り心地、機能、見た目を自分の希望にあった物に何時でも自由自在に設定できるようにしたい。
【考案が解決しようとする手段】
【０００４】課題を解決する手段としては、自転車サドルカバー及び２輪車シートカバーのクッションを利用する事にした、先ず、そのクッションを収納でき、外部から見られるようにした、表面の素材を透明な素材にする、サドルカバー及びシートカバーの人が座る表面の裏面部分に、大きさはクッションの平面寸法高さはクッションの厚みより少し大きめの空間になる寸法の裏地を表地に接合する、それによりクッションを入れる収納部分が構成される、そのクッション収納部分にクッションを自由に１枚ごと出し入れできるように、裏地を横に切った出入口が構成する、それにより、クッションが収納でき、何時でもクッションが交換できる収納部分が構成される、次に、自分の好みと希望に合った、乗り心地、機能、見た目のデザインを総て備えたクッションを作る［図６］そのクッションを収納部分に［図４］クッションを収納する［図８］それを自転車サドル及び２輪車のシートに被せる。［図９］その後も、その都度希望の乗り心地、機能、見た目デザインが備わったクッションを作り、自転車サドルカバー及び２輪車シートカバーの収納部分に入っている今までのものと交換し、自転車のサドル及び２輪車のシートに被せれば、常に希望の乗り心地、機能、見た目デザインが備わった自転車サドル及び２輪車のシートになる。希望の乗り心地、機能、見た目デザインが備わったクッションを収納でき、常に外からクッションを見られるように表面の素材が透明な素材で作られた自転車透明サドルカバー及び２輪車透明シートカバーを考案した。それと、自転車に乗っている時、健康等何かに効く効能・効果が出る素材で作られたクッションから、その効能・効果を吸収できる手段として自転車のサドルカバー及び２輪車のシートカバーの人が座る部分の表面に穴を空けた［図９］、その穴から効能・効果をもたらす効用を乗っている人に生かせる事が出来る自転車クッション効能・効果吸収透明サドルカバー及び２輪車クッション効能・効果吸収透明シートカバー。
【考案の効果】
【０００５】本考案は自転車に乗る時の機能的な快適性と自己満足が先ず保たれる、それと、他の自転車、２輪車との差別化もでき、自転車、２輪車の個性と独自性も図られる、クッション出し入れ自由な機能であるので、不満足になった場合、何時でも交換でき、満足感を再度求められる事ができる。その他、自転車、２輪車は野外放置が多い、透明な素材であるので太陽光線は常にクッションに当たる、クッションの素材選択により、冬暖かく、夏涼しい自転車サドル、２輪車シートは可能である、その他、素材は新たに購入しなくても今ある物も利用もできる、それと、表面が透明であるので、印刷物等の素材をクッションと共に入れ外から見えるようにすると、外から見え、盗難防止、広告宣伝等にも利用できる、クッション素材に健康等の効能・効果がある素材を使えば自転車に乗っている時に自然に効用吸収もできる。いろんな素材をうまく見つければ、利点がいっぱい出てくる自転車透明サドルカバー及び２輪車透明シートカバーである。それと、自転車及び２輪車に乗る時の乗り心地、機能、見た目を自分の希望にあった仕様に何時でも自由自在に設定変更できる。
【考案を実施するための最良の形態】
【０００６】本考案に係る自転車透明サドルカバー及び２輪車透明シートカバー並びに自転車クッション効能・効果吸収透明サドルカバー及び２輪車クッション効能・効果吸収収納透明シートカバーの最良の形態は表面が透明である事とクッションが収納できる事とそのクッションが何時でも交換できる形態である、［図９］それと、何かに効く効能・効果が出る素材で作られたクッションから、その効能・効果を吸収できる手段として自転車のサドルカバー及び２輪車のシートカバーの表面に穴を空けた形態である［図１０］
【図面の簡単な説明】
【図１】自転車サドル及び２輪車シートに装備した自転車透明サドルカバー及び２輪車透明シートカバー図面
【図２】自転車透明サドルカバー及び２輪車透明シートカバーの裏面図面
【図３】自転車透明サドルカバー及び２輪車透明シートカバー、クッション交換する時、交換できるよう取り付け部分を逆さにした時の図面
【図４】自転車透明サドルカバー及び２輪車透明シートカバー、裏面のクッション収納部分とクッション出し入れ口図面
【図５】自転車透明サドルカバー及び２輪車透明シートカバー基本クッション及びオリジナルクッション制作用、切取寸法型紙兼用クッション図面
【図６】自転車透明サドルカバー及び２輪車透明シートカバー、クッション型紙利用して制作した、自分の好み希望に合せたオリジナルクッション図面
【図７】自転車透明サドルカバー及び２輪車透明シートカバー基本クッションを取り出し、新たに作ったオリジナルクッションを出し入れ口から入れる途中の図面
【図８】新たに作ったオリジナルクッションを自転車透明サドルカバー及び２輪車透明シートカバーに入れ込んだ図面
【図９】新たに作ったオリジナルクッションを入れた自転車透明サドルカバー及び２輪車透明シートカバーの取り付け部分をひっくり返して自転車サドル並びに２輪車シートに被せた図面
【図１０】オリジナルクッションの効能・効果を座っている人にもたらす自転車クッション効能・効果吸収透明サドルカバー及び２輪車クッション効能・効果吸収収納透明シートカバー
【符号の説明】
Ａ    自転車透明サドルカバー並びに２輪車透明シートカバーに乗る人が座る表面。
Ｂ    自転車透明サドルカバー並びに２輪車透明シートカバーの乗る人が座る表面の裏面、サドル並びシートに直接接する裏面。
１    透明な素材で作った自転車透明サドルカバー並びに２輪車透明シートカバー。
２    自転車透明サドルカバー並びに２輪車透明シートカバーの基本クッション及びオリジナルクッション製作用寸法型紙兼用クッション。
３    透明な素材で形成した自転車透明サドルカバー並びに２輪車透明シートカバーの裏面クッション収納部のカバー裏地。
４    自転車透明サドルカバー及び２輪車透明シートカバー、自転車サドル及び２輪車シート後ろ取り付けゴム。
５    自転車透明サドルカバー及び２輪車透明シートカバー、自転車サドル及び２輪車シート、前取り付け紐。
６    自転車サドル並びに２輪車シート。
７    自転車透明サドルカバー並びに２輪車透明シートカバー、クッション交換出し入れ口
８    自転車透明サドルカバー並びに２輪車透明シートカバーに入れるオリジナルクッション
９    オリジナルクッションからの各種効能・効果吸収穴
【図１】
0003145403.tif 000003
【図２】
0003145403.tif 000004
【図３】
0003145403.tif 000005
【図４】
0003145403.tif 000006
【図５】
0003145403.tif 000007
【図６】
0003145403.tif 000008
【図７】
0003145403.tif 000009
【図８】
0003145403.tif 000010
【図９】
0003145403.tif 000011
【図１０】
0003145403.tif 000012